(57)【要約】【課題】  貯水空間を有効に備えており、大量の水量の貯留が可能であり、しかも強度的にも十分に満足できるものであって不測の危険がなく、上部スペースを駐車場、運動場、公園などとして有効に利用可能である地下遊水池を提供する。【解決手段】  頂版部２１と両側壁部２２と底版部２３とからなり、かつ内部に空間部２４を有する複数の主体形成用ブロック２を各空間部２４が隣接するように連設して形成した複数のブロック群３を前記連設方向と直交する方向に間隔をおいて配設するとともに、隣接する各ブロック群３の上に鉄筋出しスラブ４を架設して鉄筋が埋設するように生コンクリートを充填してコンクリート層を形成した。【選択図】  図３
2006009314.tif 000002
【特許請求の範囲】
【請求項１】
頂版部と両側壁部と底版部とからなり、かつ内部に空間部を有する複数の主体形成用ブロックを各空間部が隣接するように連設して形成した複数のブロック群を前記連設方向と直交する方向に間隔をおいて配設するとともに、隣接する各ブロック群の上に鉄筋出しスラブを架設して鉄筋が埋設するように生コンクリートを充填してコンクリート層を形成したことを特徴とする地下遊水池。
【請求項２】
前記ブロック群の両側を前記コンクリート層の高さと同一高さを有するＬ形擁壁にて固定したことを特徴とする請求項１記載の地下遊水池。
【発明の詳細な説明】
【技術分野】
【０００１】
本発明は、雨水等を一時的に貯留する地下遊水池に関するものである。
【背景技術】
【０００２】
従来から、大量の雨水が河川に流れ込んで河川が溢れて洪水が発生することを予め回避するために、雨水等を一時的に調整するために貯留するとともに、そのスペースの有効利用を図ることが可能なように、地下遊水池が構築されている。
この地下遊水池は、かなりの水量の貯留が必要であるため、貯水空間を有効に備えていなければならず、しかもその上部スペースも駐車場、運動場、公園などとして有効に利用可能であることも必要であるため、不測の危険がないように強度的にも十分に満足できるものでなければならない。
【０００３】
従来の地下遊水池の例としては、四面に開口部を有する箱形のブロックを積み重ねた施工方法が提案（特許文献１）されている。
また、支柱と底版と蓋体とで形成したブロックを所定間隔をおいて立設した地下遊水池（特許文献２）も提案されている。
【０００４】
【特許文献１】特開２００３−２７８１９２号公報
【特許文献２】特開平７−１８０２０６号公報
【０００５】
しかしながら、上記の開口部を有する箱形のブロックを積み重ねた施工方法は、ブロックの形状が四面開口の箱形の形状であるので、ブロック製造時の型枠が複雑となり、製造コストが高くつく欠点がある。
また、上記の支柱と底版と蓋体とで形成したブロックを所定間隔をおいて立設した地下遊水池では、支柱が不安定であり、蓋体が不安定な支柱によって局部的に支持されているため、蓋体に損傷が生じやすく、しかも支柱の立設作業も正確でなければならず、熟練を要し、施工に多大の労力と時間を要する欠点がある。
【発明の開示】
【発明が解決しようとする課題】
【０００６】
本発明は、上記のような従来の欠点を改善するものであって、貯水空間を有効に備えており、大量の水量の貯留が可能であり、しかも安価に製造可能であり、強度的にも十分に満足できるものであって不測の危険がなく、上部スペースを駐車場、運動場、公園などとして有効に利用可能である地下遊水池の提供を目的とするものである。
【課題を解決するための手段】
【０００７】
本発明は、かかる目的を達成するものであって、請求項１の発明は、頂版部と両側壁部と底版部とからなり、かつ内部に空間部を有する複数の主体形成用ブロックを各空間部が隣接するように連設して形成した複数のブロック群を前記連設方向と直交する方向に間隔をおいて配設するとともに、隣接する各ブロック群の上に鉄筋出しスラブを架設して鉄筋が埋設するように生コンクリートを充填してコンクリート層を形成したことを特徴とする地下遊水池である。
【０００８】
請求項２記載の発明は、前記ブロック群の両側を前記コンクリート層の高さと同一高さを有するＬ形擁壁にて固定したことを特徴とする請求項１記載の地下遊水池である。
【発明の効果】
【０００９】
本発明の地下遊水池は、設置工事が簡易であり、安価に形成することが可能であり、しかも効率の良い貯水空間を備えており、大量の水量の貯留が可能であり、しかも強度的にも十分に満足できるものであって不測の危険がなく、上部スペースを駐車場、運動場、公園などとして長期間に亙って有効に利用可能である。
【発明を実施するための最良の形態】
【００１０】
以下、図面に従って本発明の地下遊水池について詳述する。
【００１１】
図１〜図３において、１は、本発明の地下遊水池であって、該地下遊水池１は、主体形成用ブロック２を連設して形成した複数のブロック群３と鉄筋出しスラブ４とから主としてなり、鉄筋出しスラブ４には、鉄筋を埋設するようにコンリート打ちして本発明の地下遊水池が形成される。
【００１２】
主体形成用ブロック２は、図３や図９，図１２，図１５に示すように、頂版部２１と両側壁部２２と底版部２３とからなり、内部に空間部２４を有するものである。
【００１３】
主体形成用ブロック２の頂版２１には、図１〜図１５に示すように、鉄筋出しスラブ４を架設するための段差部２５が形成されており、底版部２３には、鉄筋２６が設けてあり、底版部延設のための生コンクリート打設に供するようになされている。
また、図１６〜図１８に示すように、鉄筋２６の代わりに、主体形成用ブロック２の底版部間をＨ鋼３０などの鋼材を配して溶接・固定し、底版部に生コンクリートを打設することもできる。
【００１４】
この主体形成用ブロック２は、図３に示すように、各空間部２４が隣接するように連設して複数のブロック群３を形成して使用されるので、両側壁部２２は隣接する主体形成用ブロック２の側壁部２２と並設された際に適切な強度となるように設定することができる。このため、主体形成用ブロック２は比較的軽量に製造することが可能であり、運搬、設置作業が比較的簡易に行うことができる。
【００１５】
さらに、主体形成用ブロック２は、各種の変形が可能であって、第１実施例の図６に示すように、中段部２７を形成しても良く、第２実施例の図９，第３実施例の図１２，第４実施例の図１５に示すように、中段部２７を形成しなくても良い。必要とする強度や横方向の長さと高さとの比率などに応じて選択して採用することができる。また、第３実施例の図１０に示すように、底版部２３を張り出すようにして安定性を向上させることもできるし、第４実施例の図１３に示すように、頂版部２１と底版部２３を張り出すようにして強度や安定性を向上させることもできる。また、空間部２４の角部には、補強のために補強用斜面部を形成することが望ましい。
【００１６】
ブロック群３の両側を生コンクリート充填予定の高さと同一高さを有するＬ形擁壁にて固定することにより、ブロック群３を安定に設置することができる。
複数のブロック群３は主体形成用ブロック２の連設方向と直交する方向に間隔をおいて配設する。
【００１７】
鉄筋出しスラブ４は、鉄筋が予め上方に突出した状態または設置後に鉄筋を突出させることができる長尺の平板状のものであって、鉄筋が埋設するように生コンクリートを充填してコンクリート層を形成するものである。このように、予めコンクリート層が形成されていないので、軽量であって、運搬、設置が簡易であり、しかも設置後に、型枠を要することなく、生コンクリートの充填により使用目的に最適なように最終仕上げをすることができる。長尺状（１個以上のブロックを省略可能な長さ）の鉄筋出しスラブ４を使用するので、主体形成用ブロック２を省略することができるので、コストが安価となり、しかも内部空間を広くとることができ、貯水量を多量に効率良くすることができる利点がある。
【００１８】
本発明の地下遊水池の設置順序の一例を以下に記載する。
先ず、水平状に形成した基盤上に主体形成用ブロック２を図３に示すように、各空間部２４が隣接するように連設してブロック群３を形成、設置するとともに、ブロック群３の両側を生コンクリート充填予定の高さと同一高さを有するＬ形擁壁５にて固定する。
【００１９】
同様にして、前記ブロック群３の連設方向と直交する方向に間隔をおいて新たなブロック群３を順次設置する。このさい、底版部２３から側方に突出した鉄筋２６が埋設されるように生コンクリートの打設を行って、安定に固定する。
【００２０】
次に、図２に示すように、隣接するブロック群３の段差部２５の上に鉄筋出しスラブ４を架設，固定し、鉄筋出しスラブ４から上方へ突出した鉄筋又は鉄筋出しスラブ４の上面に設けた穴に差し込んだ鉄筋が埋設するように生コンクリートを現場打ちして、天版を形成する。この際、Ｌ形擁壁５の高さは生コンクリート充填予定の高さと同一高さとなされているので、型枠を使用することなく、簡易に生コンクリートの打設を行うことができる。
【図面の簡単な説明】
【００２１】
【図１】本発明に係る地下遊水池の正面図である。
【図２】図１の地下遊水池の平面図である。
【図３】図２の地下遊水池のＡ−Ａ断面図である。
【図４】図１の地下遊水池に使用する主体形成用ブロックの正面図である。
【図５】図４の主体形成用ブロックの平面図である。
【図６】図４の主体形成用ブロックの側面図である。
【図７】第２実施例の主体形成用ブロックの正面図である。
【図８】図７の主体形成用ブロックの平面図である。
【図９】図７の主体形成用ブロックの側面図である。
【図１０】第３実施例の主体形成用ブロックの正面図である。
【図１１】図１０の主体形成用ブロックの平面図である。
【図１２】図１０の主体形成用ブロックの側面図である。
【図１３】第４実施例の主体形成用ブロックの正面図である。
【図１４】図１３の主体形成用ブロックの平面図である。
【図１５】図１３の主体形成用ブロックの側面図である。
【図１６】他の実施例による地下遊水池の平面図である。
【図１７】図１６の地下遊水池の正面図である。
【図１８】図１６の主体形成用ブロックの正面図である。
【符号の説明】
【００２２】
１    地下遊水池
２    主体形成用ブロック
２１  頂版部
２２  両側壁部
２３  底版部
２４  空間部
２５  段差部
２６  鉄筋
２７  中段部
２８  ＰＣ鋼材用穴
２９  ＰＣ鋼材定着穴
３    ブロック群
３０  Ｈ鋼材
４    鉄筋出しスラブ
５    Ｌ形擁壁
【図１】
2006009314.tif 000003
【図２】
2006009314.tif 000004
【図３】
2006009314.tif 000005
【図４】
2006009314.tif 000006
【図５】
2006009314.tif 000007
【図６】
2006009314.tif 000008
【図７】
2006009314.tif 000009
【図８】
2006009314.tif 000010
【図９】
2006009314.tif 000011
【図１０】
2006009314.tif 000012
【図１１】
2006009314.tif 000013
【図１２】
2006009314.tif 000014
【図１３】
2006009314.tif 000015
【図１４】
2006009314.tif 000016
【図１５】
2006009314.tif 000017
【図１６】
2006009314.tif 000018
【図１７】
2006009314.tif 000019
【図１８】
2006009314.tif 000020